(57)【要約】【目的】  書換型ディスク用ＤＶＤビデオフォーマットを有するＤＶＤ＋Ｒディスク，ＤＶＤ＋ＲＷディスク等の記録媒体に直ぐにデータ書き込みを開始できるようにする。【構成】    光ディスクドライブのコントローラは、電源オン時又は光ディスク挿入時にディスク検出処理を行い、上述した書換型ディスク用ＤＶＤビデオフォーマットを解釈する処理を行い（Ｓ１）、光ディスクが書換型ディスク用ＤＶＤビデオフォーマットか否かを判断し（Ｓ２）、書換型ディスク用ＤＶＤビデオフォーマットでなければこの処理を終了し、書換型ディスク用ＤＶＤビデオフォーマットの場合は書換型ディスク用ＤＶＤビデオフォーマットのファイルシステム上で決められたデータ追記位置を解析し（Ｓ３）、そのデータ追記位置まで光ピックアップを移動させて待機し（Ｓ４）、この処理を終了する。【選択図】        図９
2005149550.tif 000002
【特許請求の範囲】
【請求項１】
記録媒体にデータを記録する情報記録装置において、
電源投入時に装着されている記録媒体又は挿入時の記録媒体が書換型ディスク用ビデオフォーマットか否かを判断し、書換型ディスク用ビデオフォーマットと判断されたときに前記記録媒体のデータ追記位置を解析し、データ記録開始位置を前記解析によって求められたデータ追記位置に移動させる手段を設けたことを特徴とする情報記録装置。
【請求項２】
記録媒体にデータを記録する情報記録装置と、該情報記録装置へ前記記録媒体に記録するデータを出力する上位装置とからなる情報記録システムにおいて、
前記情報記録装置に、電源投入時に装着されている記録媒体又は挿入時の記録媒体のフォーマット情報を前記上位装置へ送信する手段と、前記上位装置から所定コマンドを受信したとき、前記記録媒体のデータ追記位置を解析し、データ記録開始位置を前記解析によって求められたデータ追記位置に移動させる手段を設け、
前記上位装置に、前記情報記録装置からフォーマット情報を受信したとき、該フォーマット情報に基づいて前記記録媒体が書換型ディスク用ビデオフォーマットか否かを判断し、書換型ディスク用ビデオフォーマットと判断されたときに前記情報記録装置へ所定コマンドを送信する手段を設けたことを特徴とする情報記録システム。
【請求項３】
記録媒体にデータを記録する情報記録装置において、
電源投入時に装着されている記録媒体又は挿入時の記録媒体が書換型ディスク用ビデオフォーマットか否かを判断し、書換型ディスク用ビデオフォーマットと判断されたときに前記記録媒体に対する記録開始前処理を実行する手段を設けたことを特徴とする情報記録装置。
【請求項４】
記録媒体にデータを記録する情報記録装置と、該情報記録装置へ前記記録媒体に記録するデータを出力する上位装置とからなる情報記録システムにおいて、
前記情報記録装置に、電源投入時に装着されている記録媒体又は挿入時の記録媒体のフォーマット情報を前記上位装置へ送信する手段と、前記上位装置から所定コマンドを受信したとき、前記記録媒体に対する記録開始前処理と、前記記録媒体のデータ追記位置を解析し、データ記録開始位置を前記解析によって求められたデータ追記位置に移動させる処理とを実行する手段を設け、
前記上位装置に、前記情報記録装置からフォーマット情報を受信したとき、該フォーマット情報に基づいて前記記録媒体が書換型ディスク用ビデオフォーマットか否かを判断し、書換型ディスク用ビデオフォーマットと判断されたときに前記情報記録装置へ所定コマンドを送信する手段を設けたことを特徴とする情報記録システム。
【請求項５】
請求項３記載の情報記録装置において、
前記記録開始前処理を前記記録媒体の記録開始位置で実行するようにしたことを特徴とする情報記録装置。
【請求項６】
請求項４記載の情報記録システムにおいて、
前記記録開始前処理を前記記録媒体の記録開始位置で実行するようにしたことを特徴とする情報記録システム。
【請求項７】
請求項３又は５記載の情報記録装置において、
前記記録媒体に記録開始前処理を実行したことを示す情報を記録する手段を設けたことを特徴とする情報記録装置。
【請求項８】
請求項４又は６記載の情報記録システムにおいて、
前記記録媒体に記録開始前処理を実行したことを示す情報を記録する手段を設けたことを特徴とする情報記録システム。
【請求項９】
請求項３，５，７のいずれか一項に記載の情報記録装置において、
前記記録媒体に記録開始前処理を実行したことを示す情報と自装置と異なる識別情報とが記録されていることを検出したとき、前記記録媒体に対する記録開始前処理を実行しないようにする手段を設けたことを特徴とする情報記録装置。
【請求項１０】
請求項４，６，８のいずれか一項に記載の情報記録システムにおいて、
前記記録媒体に記録開始前処理を実行したことを示す情報と自装置と異なる識別情報とが記録されていることを検出したとき、前記記録媒体に対する記録開始前処理を実行しないようにする手段を設けたことを特徴とする情報記録システム。
【発明の詳細な説明】
【技術分野】
【０００１】
この発明は、ＣＤ−Ｒディスク，ＤＶＤ＋Ｒディスク，ＤＶＤ−Ｒディスク等の追記可能な記録媒体及びＣＤ−ＲＷディスク，ＤＶＤ＋ＲＷディスク，ＤＶＤ−ＲＷディスク等の書き換え可能な記録媒体にデータを記録する情報記録装置及び情報記録システムに関する。
【背景技術】
【０００２】
ＤＶＤレコーダの記録媒体には、ＤＶＤ＋ＲＷディスク，ＤＶＤ＋Ｒディスクなどの光ディスクを使用している。
そのような光ディスクでは、その特性からデータの書き始めには記録パワーの最適化処理（Ｏｐｔｉｍｕｍ  Ｐｏｗｅｒ  Ｃｏｎｔｒｏｌ：ＯＰＣ処理）、すなわち記録開始前処理（ライト開始前処理）が必要である。
従来のＣＤ−Ｒディスクにデータを書き込む情報記録装置では、記録動作に際して、予め記録開始前の準備を終え、記録開始位置に置いて待機している（例えば、特許文献１参照）。
また、データ未書き込み領域を検索し、そのデータ未書き込み領域で試し書きを実行し、その試し書きによって得られた最適記録パワー値でデータを書き込んでいる（例えば、特許文献２参照）。
【０００３】
【特許文献１】特開平９−２８８８６１号公報
【特許文献２】特開平１１−７６４５号公報
【発明の開示】
【発明が解決しようとする課題】
【０００４】
しかしながら、書換型ディスク用ビデオフォーマット（記録可能なＤＶＤディスクにビデオレコード可能なＤＶＤフォーマット）を有するＤＶＤ＋Ｒディスク，ＤＶＤ＋ＷＲディスク等の記録媒体にデータを書き込む情報記録装置では、上位装置（パーソナルコンピュータ等）からの最初のライトコマンドですぐにデータを書き始めることが出来ず、データ記録のリアルタイム性が損なわれてしまうという問題があった。
ＯＰＣ処理自体は、センドＯＰＣコマンド（ＳＥＮＤ  ＯＰＣコマンド）で予め実行しておくことは可能であるが、光ピックアップを光ディスク上の書込位置（ライト位置）へ移動させるのにはシーク動作を伴うため、すでに記録した光ディスクでは外周に次のライト位置があるため、やはり時間的なずれが生じてしまう。
【０００５】
この発明は上記の課題を解決するためになされたものであり、書換型ディスク用ビデオフォーマットを有するＤＶＤ＋Ｒディスク，ＤＶＤ＋ＷＲディスク等の記録媒体に直ぐにデータ書き込みを開始できるようにすることを目的とする。
【課題を解決するための手段】
【０００６】
この発明は上記の目的を達成するため、次の情報記録装置と情報記録システムを提供する。
（１）記録媒体にデータを記録する情報記録装置において、電源投入時に装着されている記録媒体又は挿入時の記録媒体が書換型ディスク用ビデオフォーマットか否かを判断し、書換型ディスク用ビデオフォーマットと判断されたときに上記記録媒体のデータ追記位置を解析し、データ記録開始位置を上記解析によって求められたデータ追記位置に移動させる手段を設けた情報記録装置。
【０００７】
（２）記録媒体にデータを記録する情報記録装置と、その情報記録装置へ上記記録媒体に記録するデータを出力する上位装置とからなる情報記録システムにおいて、上記情報記録装置に、電源投入時に装着されている記録媒体又は挿入時の記録媒体のフォーマット情報を上記上位装置へ送信する手段と、上記上位装置から所定コマンドを受信したとき、上記記録媒体のデータ追記位置を解析し、データ記録開始位置を上記解析によって求められたデータ追記位置に移動させる手段を設け、上記上位装置に、上記情報記録装置からフォーマット情報を受信したとき、そのフォーマット情報に基づいて上記記録媒体が書換型ディスク用ビデオフォーマットか否かを判断し、書換型ディスク用ビデオフォーマットと判断されたときに上記情報記録装置へ所定コマンドを送信する手段を設けた情報記録システム。
【０００８】
（３）記録媒体にデータを記録する情報記録装置において、電源投入時に装着されている記録媒体又は挿入時の記録媒体が書換型ディスク用ビデオフォーマットか否かを判断し、書換型ディスク用ビデオフォーマットと判断されたときに上記記録媒体に対する記録開始前処理を実行する手段を設けた情報記録装置。
【０００９】
（４）記録媒体にデータを記録する情報記録装置と、その情報記録装置へ上記記録媒体に記録するデータを出力する上位装置とからなる情報記録システムにおいて、上記情報記録装置に、電源投入時に装着されている記録媒体又は挿入時の記録媒体のフォーマット情報を上記上位装置へ送信する手段と、上記上位装置から所定コマンドを受信したとき、上記記録媒体に対する記録開始前処理と、上記記録媒体のデータ追記位置を解析し、データ記録開始位置を上記解析によって求められたデータ追記位置に移動させる処理とを実行する手段を設け、上記上位装置に、上記情報記録装置からフォーマット情報を受信したとき、そのフォーマット情報に基づいて上記記録媒体が書換型ディスク用ビデオフォーマットか否かを判断し、書換型ディスク用ビデオフォーマットと判断されたときに上記情報記録装置へ所定コマンドを送信する手段を設けた情報記録システム。
【００１０】
（５）上記（３）の情報記録装置において、上記記録開始前処理を上記記録媒体の記録開始位置で実行するようにした情報記録装置。
（６）上記（４）の情報記録システムにおいて、上記記録開始前処理を上記記録媒体の記録開始位置で実行するようにした情報記録システム。
（７）上記（３）又は（５）の情報記録装置において、上記記録媒体に記録開始前処理を実行したことを示す情報を記録する手段を設けた情報記録装置。
（８）上記（４）又は（６）の情報記録システムにおいて、上記記録媒体に記録開始前処理を実行したことを示す情報を記録する手段を設けた情報記録システム。
【００１１】
（９）上記（３）（５）（７）のいずれかの情報記録装置において、上記記録媒体に記録開始前処理を実行したことを示す情報と自装置と異なる識別情報とが記録されていることを検出したとき、上記記録媒体に対する記録開始前処理を実行しないようにする手段を設けた情報記録装置。
（１０）上記（４）（６）（８）のいずれかの情報記録システムにおいて、上記記録媒体に記録開始前処理を実行したことを示す情報と自装置と異なる識別情報とが記録されていることを検出したとき、上記記録媒体に対する記録開始前処理を実行しないようにする手段を設けた情報記録システム。
【発明の効果】
【００１２】
この発明による情報記録装置と情報記録システムは、書換型ディスク用ビデオフォーマットを有するＤＶＤ＋Ｒディスク，ＤＶＤ＋ＷＲディスク等の記録媒体に直ぐにデータ書き込みを開始することができる。
【発明を実施するための最良の形態】
【００１３】
以下、この発明を実施するための最良の形態を図面に基づいて具体的に説明する。
図１は、この発明の一実施形態である光ディスク記録システムの構成を示すブロック図である。
この光ディスク記録システムは、上記情報記録装置に相当するＤＶＤ＋Ｒ／ＲＷドライブ等の光ディスクドライブ１と、上記上位装置に相当するＤＶＤレコーダ２とからなる。
光ディスクドライブ１は、データ記録及び再生が可能なＤＶＤ＋Ｒディスク，ＤＶＤ＋ＲＷディスク等の光ディスク（記録媒体）１８に対するデータの記録及び再生を行う情報記録装置であり、光ディスク１８を回転させるスピンドルモータ等のモータ１０と、そのモータ１０の回転を制御する回転制御系部１１と、光ディスク１８にデータ記録及び再生のためのレーザ光Ｌを照射する光ピックアップ１２を備えている。
【００１４】
また、その光ピックアップ１２を光ディスク１８の半径方向に移動させる粗動モータと、その粗動モータの回転駆動制御を行う粗動モータ制御系部と、その光ピックアップ１２によるレーザ光Ｌの発光駆動等の制御を行う光ピックアップ制御系部とからなる粗動モータ／光ピックアップ制御系部１３と、光ピックアップ１２からの再生信号と光ピックアップ１２への記録信号の入出力を制御する信号処理系部１４と、光ディスク１８に記録するデータ及び光ディスク１８から再生したデータ等の各種データを一時的に格納すると共に、コントローラ１７が各種の処理を実行する際にデータを一時的に記憶する領域として利用するキャッシュメモリ１５を備えている。
【００１５】
さらに、ＤＶＤレコーダ２と外部インタフェース３０を介してデータのやり取りを可能に接続し、ＤＶＤレコーダ２との間のデータのやり取りを制御する外部インタフェース制御系部１６と、ＣＰＵ，ＲＯＭ及びＲＡＭ等からなるマイクロコンピュータによって実現され、図示を省略したＲＯＭやＲＡＭ等のメモリにこの発明に係る手順を実行するプログラムを含む各種のプログラムを記録し、そのプログラムの手順を実行することによってこの発明に係る機能を実現するコントローラ１７を備えている。そのコントローラ１７により、後述のこの発明に係る情報記録方法（ライト開始前処理，ライト位置ポーズ処理）の処理を行う。このコントローラ１７のＲＯＭ又はＲＡＭには自装置の装置固有の識別情報（固有の識別コード）であるドライブＩＤを格納している。
【００１６】
一方、ＤＶＤレコーダ２は、外部インタフェース３０を介して光ディスクドライブ１とデータの出力及びデータの入出力可能に接続し、光ディスクドライブ１に記録用のデータを出力したり、光ディスクドライブ１に対してこの発明に係る所定コマンド（ライト開始前処理コマンド，ライト位置ポーズ処理コマンド）を送ったり、光ディスクドライブ１に対してデータ再生制御処理の指示を送ったり、光ディスクドライブ１によって再生されたデータを受け取る。
映像信号発生機２０は、映像記録時にＴＶアンテナ，衛星アンテナ等から映像信号を入力してデータ変換部２１へ送り、映像再生時にデータ変換部２１から受け取った映像信号を外部に接続されたビデオ機器等の端子へ出力する。
【００１７】
データ変換部２１は、コントローラ２３からの指示によって映像信号発生機２０から送られる映像信号をエンコードして暗号化し、光ディスクドライブ１によって再生されたデータを入力し、そのデータの暗号化を解除してデコードする処理を行う。
外部インタフェース制御系部２２は、光ディスクドライブ１と外部インタフェース３０を介してデータのやり取りを可能に接続し、光ディスクドライブ１との間のデータのやり取りを制御する。
【００１８】
コントローラ２３は、ＣＰＵ，ＲＯＭ及びＲＡＭ等からなるマイクロコンピュータによって実現され、図示を省略したＲＯＭやＲＡＭ等のメモリにこの発明に係るプログラムを含む各種のプログラムを記録し、そのプログラムの手順を実行することによってこの発明に係る制御方法の処理を行う。コントローラ２３内のＲＯＭ又はＲＡＭには、このＤＶＤレコーダ２に固有の識別情報（装置ＩＤ）を読み出し可能に記憶している。
外部インタフェース３０は、光ディスクドライブ１及びＤＶＤレコーダ２とを接続し、双方でデータのやり取りを可能にするためのＡＴＡＰＩ，ＳＣＳＩ，ＵＳＢ，ＩＥＥＥ１３９４等のインタフェースである。
また、光ディスクドライブ１との間でデータ転送する装置には上記ＤＶＤレコーダ２の他にホストコンピュータなどがある。
【００１９】
次に、上記光ディスク記録システムにおけるこの発明に係る機能について説明する。
（１）光ディスクドライブ１が、光ディスク１８の書換型ディスク用ＤＶＤビデオフォーマットを解釈して次の追記位置を解析し、そこに記録先に移動する場合。
光ディスクドライブ１のコントローラ１７のＲＯＭ又はＲＡＭに、予め電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８のデータ追記位置を解析し、データ記録開始位置を上記解析によって求められたデータ追記位置に移動させる手順を実行させるためのプログラムを格納する。
【００２０】
そして、コントローラ１７が上記プログラムを実行することにより、電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８のデータ追記位置を解析し、データ記録開始位置を上記解析によって求められたデータ追記位置に移動させる処理を実行する。
すなわち、上記コントローラ１７が電源投入時に装着されている記録媒体又は挿入時の記録媒体が書換型ディスク用ＤＶＤビデオフォーマットか否かを判断し、書換型ディスク用ＤＶＤビデオフォーマットと判断されたときに上記記録媒体のデータ追記位置を解析し、データ記録開始位置を上記解析によって求められたデータ追記位置に移動させる手段の機能を果たす。
【００２１】
上記光ディスク１８が書換型ディスク用ＤＶＤビデオフォーマットか否かを判断するためには、光ディスク１８の書換型ディスク用ＤＶＤビデオフォーマットを解釈する必要がある。その解釈処理について説明する。
図２は、図１に示した光ディスク１８のリアルタイムビデオ記録フォーマットに従う概略データ構造を示す図である。
該データ構造は、ＤＶＤ−ＲＯＭデータ構造化で知られているように、リードイン領域（ＬＩ）、ボリューム（ＶＯＬ）及びファイルシステム領域（ＦＳ）、ビデオマネージャ領域（ＶＭＧ）、１つのビデオタイトルセット（ＶＴＳ）、他の構造のために確保された領域（ＯＴＨＥＲ）、並びにリードアウト領域（ＬＯ）を有している。
同図に特に示されていないものは、ＶＴＳタイトル用ビデオオブジェクトセット（ＶＴＳＴＴ＿ＶＯＢＳ）内の提示制御情報（ＰＣＩ）及びデータ検索情報（ＤＳＩ）であり、両方とも各ビデオオブジェクト単位（ＶＯＢＵ）のナビゲーションパック（ＮＶ＿ＰＣＫ）内に分散されている。
【００２２】
まず、このリアルタイムビデオ記録フォーマットによるデータ構成の概略を説明する。
ビデオマネージャ（ＶＭＧ）に関しては、次のことが述べられる。
ビデオマネージャ（ＶＭＧ）はタイトルメニュを含まなければならない。結果として、ビデオマネージャメニュー用のビデオオブジェクトセット（ＶＭＧＭ＿ＶＯＢＳ）は必須である。
ビデオタイトルセット（ＶＴＳ）に関しては、次のことが述べられる。
光ディスク１８上のデータ構造は、１つのビデオタイトルセット（ＶＴＳ）のみを含む。ルートメニュは、タイトルメニュを呼ぶ前置命令を伴うようなダミープログラムチェーン（ＰＧＣ）を含まなければならない。
光ディスク１８上には他のビデオタイトルセット（ＶＴＳ）メニュが存在してはならない。結果として、ビデオタイトルセット（ＶＴＳ）は、ビデオタイトルセットメニュ用のビデオオブジェクトセット（ＶＴＳＭ＿ＶＯＢＳ）は含まない。ビデオタイトルセット（ＶＴＳ）のビデオタイトルセットタイトル用のビデオオブジェクトセット（ＶＴＳＴＴ＿ＶＯＢＳ）は、記録されたビデオコンテンツを含む。
【００２３】
ビデオオブジェクトセット（ＶＯＢＳ）、ビデオオブジェクト（ＶＯＢ）及びセルに関しては、次のことが述べられる。
ビデオオブジェクト（ＶＯＢ）は、一緒にＤ４に規定されるＭＰＥＧ−２プログラムストリーム（の一部）を構成するような連続的に記録されたセルの系列（の一部）である。
ビデオオブジェクト（ＶＯＢ）の最初のセルの始点からは、このセルが如何なるタイトルにも使用されない場合、整数個のＭＰＥＧ−２プログラムストリームパックが無い可能性がある。
ビデオオブジェクト（ＶＯＢ）の最終セルはバッファセルであり、如何なるタイトルによっても使用されない。
ビデオオブジェクトセット（ＶＯＢＳ）は、連続的に記録されたビデオオブジェクト（ＶＯＢ）の集合である。書換型ディスク上のビデオオブジェクト（ＶＯＢ）及びセルは、Ｄ２及びＤ４に開示されたＤＶＤ読取専用ディスク用のビデオ仕様には完全には従わない。下記の例外が許容され、又は必要とされる。
【００２４】
１）ＤＶＤビデオ仕様は、ビデオオブジェクト（ＶＯＢ）が零に等しいシステムクロック基準（ＳＣＲ）で開始することを要件とする。
２）１つのビデオオブジェクト（ＶＯＢ）からのビデオストリームの表示は、トップフィールドで開始する必要もなく、ボトムフィールドで終了する必要もない。
３）ＤＶＤビデオ仕様は、ビデオオブジェクト（ＶＯＢ）及びセルの増加的番号付けを規定している。ディスクを最初に記録する場合、該要件は通常満たされる。しかしながら、古い記録が（部分的に）重ね書きされる場合、又はユーザにより編集がなされる場合は、上記増加的番号付けを維持することは不可能であろう。この問題を克服するために、全てのビデオオブジェクト（ＶＯＢ）のビデオオブジェクト識別番号（ＶＯＢ  ＩＤ）が“１”に等しいことを要する。これに加えて、セルＩＤ番号（番号２５５を除く）は固有のままとするが、これらの番号は順番通りでないことが許容される。
【００２５】
４）ビデオオブジェクト（ＶＯＢ）及びセルは、順方向検索を容易化するために、順方法参照（ｆｏｒｗａｒｄ  ｒｅｆｅｒｅｎｃｅｓ）を持つナビゲーションパック（ＮＶ＿ＰＣＫ）を含む。これらの順方向参照の幾つかは、記録時には知ることができないので、レガシ再生装置を受け入れられる態様で動作させるような値で符号化されなければならない。
５）上記ナビゲーションパック（ＮＶ＿ＰＣＫ）も、ビデオオブジェクト（ＶＯＢ）の最終ビデオフレームの提示終了時間を指定するパラメータを含む。このパラメータは、全ての場合においてリアルタイムに正しくすることはできない。この問題を解決するために、このパラメータのために、大きな値が記録される。ビデオオブジェクト（ＶＯＢ）の終わりにおけるバッファセルが、ビデオオブジェクト（ＶＯＢ）の終わりに再生中には決して到達しないことを保証する。
【００２６】
記録に関しては、以下のことが述べられる。ビデオタイトルセット内のタイトルに関するビデオオブジェクトセット（ＶＴＳＴＴ＿ＶＯＢＳ）は、記録と呼ばれる隣接する断片の集合に分割することができ、これら断片は必ずしもビデオオブジェクト（ＶＯＢ）と一致しない。記録は、整数個のＭＰＥＧ−２のＰＳパックを含む。
記録は、ユーザに提示される際のコンテンツの分割に関係する。
完全タイトル（Ｆｕｌｌ  Ｔｉｔｌｅ）、再生リスト及び空きスペースに関しては、以下のことが述べられる。
各記録に対して、２つの単一連続ＰＧＣタイトル（Ｏｎｅ＿Ｓｅｑｕｅｎｔｉａｌ＿ＰＧＣ＿Ｔｉｔｌｅ）、即ち１つの完全タイトル及び１つの再生リストが作成される。完全タイトルは、記録の全ての完全なセル（バッファセルを除く）の再生を、ビデオオブジェクトセット（ＶＯＢＳ）内の割り付け順に規定する。再生リストは完全タイトルとは異なり得る。もしそうなら、再生リストは、完全タイトルにより再生されるセルの副集合の再生を規定する。
【００２７】
完全タイトル及び再生リストは、各々、ＶＭＧＩにおけるタイトル検索ポインタテーブル内のタイトル（ＴＴ＿ＳＲＰＴ）として、及びＶＴＳＩにおける部分タイトル（Ｐａｒｔ＿ｏｆ＿Ｔｉｔｌｅ）検索ポインタテーブル内のタイトル単位（ＴＴＵ）（ＶＴＳ＿ＰＴＴ＿ＳＲＰＴ）として表される。再生リストは、該再生リストに対して異なるプログラムチェーン（ＰＧＣ）が記録されていない限り、対応する完全タイトルと同一のプログラムチェーン（ＰＧＣ）を指し示す。
完全タイトル及び再生リストタイトルは、空きスペースとしてタグ付けされていない限り、実タイトルである。完全タイトルがユーザにより削除された場合は、固有な再生形式値（ＴＴ＿ＰＢ＿ＴＹ）を設定することにより、タイトル検索ポインタテーブル（ＴＴ＿ＳＲＰＴ）における完全タイトル及び再生リストの両方が空きスペースとしてタグ付けされる。
【００２８】
２つの連続した完全タイトルが削除された場合は、タイトル検索ポインタテーブル（ＴＴ＿ＳＲＰＴ）へのエントリは、１つの新たなタイトルへ合成されるべきである。また、関係する再生リストも合成され、空きスペースとしてタグ付けされる。ディスク上においてＶＴＳタイトルＶＯＢＳの終わりに又はＶＴＳの境界を越えて得られる空きスペースは、ＴＴ＿ＳＲＰＴには反映されない。
図６はタイトルのＰＧＣＩを見付ける一例を図示している。
【００２９】
図６では、下記のデータ構造が示される。即ち、タイトル再生形式（ＴＴ＿ＰＢ＿ＴＹ）、部分タイトルの数（ＰＴＴ＿Ｎ）、ＶＴＳタイトル番号（ＶＴＳ＿ＴＴＮ）、ＰＧＣ番号（ＰＧＣＮ）、プログラム番号（ＰＧＮ）、ＶＴＳタイトル番号（ＶＴＳ＿ＴＴＮ）、ＶＴＳプログラムチェーン情報テーブルの開始アドレス（ＶＴＳ＿ＰＧＣＩ＿ＳＡ）、プログラムチェーン情報テーブル（ＰＧＣＩＴ）、角度（Ａｎｇｌｅ）の数（ＡＧＬ＿Ｎ）、タイトル用の親ＩＤフィールド（ＴＴ＿ＰＴＬ＿ＩＤ＿ＦＬＤ）、ＶＴＳ番号（ＶＴＳＮ）及び親ＩＤフィールド（ＰＴＬ＿ＩＤ＿ＦＬＤ）である。
【００３０】
各タイトル（最終再生リストタイトル及び最終完全タイトルを除く）は、関連するプログラムチェーン情報（ＰＧＣＩ）におけるＬｉｎｋＰＧＣＮ命令により次のタイトルにリンクされる。最終再生リスト及び最終完全タイトルのプログラムチェーン情報（ＰＧＣＩ）は、タイトルメニュに対するＣａｌｌＳＳを含む。当該タイトルが空きスペースとしてタグ付けされている場合、この命令は、プログラムチェーン情報（ＰＧＣＩ）に前置命令として記憶される。それ以外の場合、該命令は後置命令として記憶される。
光ディスク１８上の完全タイトルの数は、４９を最大として再生リストの数に等しい。タイトルは、最大で９９個のチャプタ（Ｐａｒｔ＿ｏｆ＿Ｔｉｔｌｅ）に副分割することができる。１つのディスク上における全ての完全タイトルに対するチャプタの最大数は２５４である。
【００３１】
次に、読取専用フォーマットと比較した場合の制限及び修正を示す。
図２を参照して既に示したように、光ディスク１８上にビデオタイトルセットが記録される。
図３は、図２に示したビデオマネージャ（ＶＭＧ）領域内のビデオマネージャ一般情報（ＶＭＧＩ）のデータ構造を図示している。
図２におけるのと同様に、提示制御情報（ＰＣＩ）及びデータ検索情報（ＤＳＩ）は図３では示していない。
もっとも、斯かる情報は、ビデオマネージャメニュ用のビデオオブジェクトセット（ＶＭＧＭ＿ＶＯＢＳ）の各ビデオオブジェクト単位（ＶＯＢＵ）における対応するナビゲーションパック（ＮＶ＿ＰＣＫ）に分散されている。
【００３２】
ビデオマネージャ情報管理テーブル（ＶＭＧＩ＿ＭＡＴ）に関しては、プロバイダ固有ＩＤ（ＰＶＲ＿ＩＤ）の最初の８バイトは、所定のストリングを含んでいる。最初の再生プログラムチェーン（ＦＰ＿ＰＧＣ）は、タイトルメニュに対するＪｕｍｐＳＳを前置命令として含んでいる。
タイトル検索ポインタテーブル（ＴＴ＿ＳＲＰＴ）は、等しい長さの２つの区域からなっている。最初の半部はＮ個の再生リストに対するポインタを含み、第２半部はＮ個の完全タイトルに対するポインタを含んでいる。再生リスト及び完全タイトルは、ビデオオブジェクトセット（ＶＯＢＳ）における最初に使用されるセルの増加する開始アドレスの順に記憶される。全てのタイトルは、Ｔｉｍｅ＿Ｐｌａｙ（）及びＴｉｍｅ＿Ｓｅａｒｃｈ（）が阻止されるような単一連続ＰＧＣタイトル（Ｏｎｅ＿Ｓｅｑｕｅｎｔｉａｌ＿ＰＧＣ＿Ｔｉｔｌｅｓ）である。Ｐａｒｔ＿ｏｆ＿Ｔｉｔｌｅ＿Ｐｌａｙ（）及びＰａｒｔ＿ｏｆ＿Ｔｉｔｌｅ＿Ｓｅａｒｃｈ（）は空きスペースに関連するタイトルに対しては阻止されるべきであり、他のタイトルに対しては阻止されるべきではない。
表１はタイトル再生形式（ＴＴ＿ＰＢ＿ＴＹ）フィールドにより示されるように許容される再生形式の値を示す表である。
【００３３】
【表１】
2005149550.tif 000003
【００３４】
ビデオマネージャメニュプログラムチェーン情報単位テーブル（ＶＭＧＭ＿ＰＧＣＩ＿ＵＴ）は、タイトルメニュにリンクされている。１つの言語単位のみが存在すべきである。ビデオマネージャメニュは、この言語単位で存在すべきである。
ビデオタイトルセット属性テーブル（ＶＴＳ＿ＡＴＲＴ）に続き、ビデオマネージャメニュセルアドレステーブル（ＶＭＧＭ＿Ｃ＿ＡＤＴ）は、最大で１７０セルに制限され、ビデオマネージャメニュビデオオブジェクト単位アドレスマップ（ＶＭＧＭ＿ＶＯＢＵ＿ＡＤＭＡＰ）は最大で５１１のＶＯＢＵに制限される。
ビデオマネージャ領域（ＶＭＧ）の残りの部分は、ビデオマネージャメニュビデオオブジェクトセット（ＶＭＧＭ＿ＶＯＢＳ）及びビデオマネージャ情報のバックアップ（ＶＭＧＩ＿ＢＵＰ）により占有される。
【００３５】
図４を参照して、ビデオタイトルセット情報（ＶＴＳＩ）を説明する。
ルートメニュはダミープログラムチェーン（ＰＧＣ）のみを含み、他のメニュは許容されないから、ビデオタイトルセット（ＶＴＳ）メニュは関連するビデオオブジェクト（ＶＯＢ）データを有していない。
結果として、ビデオタイトルメニュのセルアドレステーブル（ＶＴＳＭ＿Ｃ＿ＡＤＴ）及びビデオタイトルセットにおけるビデオオブジェクト単位のアドレスマップ（ＶＴＳＭ＿ＶＯＢＵ＿ＡＤＭＡＰ）は存在しない。
【００３６】
図５に示すように、ビデオタイトルセット情報の管理テーブル（ＶＴＳＩ＿ＭＡＴ）は以下の領域（図示略）を有している。
（イ）ＶＴＳビデオ属性（ＶＴＳ＿Ｖ＿ＡＴＲ）（ビデオ圧縮モードはＭＰＥＧ−２に準拠する）
（ロ）このＶＴＳで使用される、異なるオーディオストリーム属性セットの数を記述するオーディオストリームの数（ＶＴＳ＿ＡＳＴ＿Ｎ）
（ハ）このＶＴＳに対して規定される（及び使用され得る又は使用され得ない）異なるオーディオストリーム属性セットを掲載するＶＴＳオーディオストリーム属性テーブル（ＶＴＳ＿ＡＳＴ＿ＡＴＲＴ）。各タイトルに対するＰＧＣＩは、これらセットのどれが実際に使用されるかを規定する。
【００３７】
（ニ）副画像ストリームの数（ＶＴＳ＿ＳＰＳＴ＿Ｎ）（このＶＴＳでは１に設定する）
（ホ）ＶＴＳ副画像ストリーム属性テーブル（ＶＴＳ＿ＳＰＳＴ＿ＡＴＲＴ）（このテーブルにおける全てのフィールドは零である）。
ビデオタイトルセット情報（ＶＴＳＩ）は、更に、ビデオタイトルセット部分タイトル検索ポインタテーブル（ＶＴＳ＿ＰＴＴ＿ＳＲＰＴ）を有し、タイトル単位はタイトル検索ポインタ（ＴＴ＿ＳＲＰＴ）におけるタイトルと同一の順序で記録される。
【００３８】
次に存在するのはビデオタイトルセットプログラムチェーン情報テーブル（ＶＴＳ＿ＰＧＣＩＴ）である。
ビデオタイトルセットプログラムチェーン情報（ＶＴＳ＿ＰＧＣＩ）検索ポインタの数は、タイトル検索ポインタテーブル（ＴＴ＿ＳＲＰＴ）におけるタイトルの数と等しい。検索ポインタは、タイトルと同じ順序で記録される。全てのプログラムチェーン（ＰＧＣ）は、ブロックモード、ブロック形式及び親ＩＤフィールド（ＰＴＬ＿ＩＤ＿ＦＬＤ）に対する全てのビットを零とするエントリＰＧＣである。再生リストが関連する完全タイトルと等しい場合、それらのビデオタイトルセットプログラムチェーン情報の開始アドレス（ＶＴＳ＿ＰＧＣＩ＿ＳＡ）値は等しい。
【００３９】
ビデオタイトルセットメニュプログラムチェーン情報単位テーブル（ＶＴＳＭ＿ＰＧＣＩ＿ＵＴ）に関しては、次のことが述べられる。
ＶＴＳＭ＿ＰＧＣＩ＿ＵＴＩにおいて指定されるビデオタイトルセットメニュ言語単位の数は、１でなければならない。正確に１個のビデオタイトルセットメニュ言語単位検索ポインタ（ＶＴＳＭ＿ＬＵ＿ＳＲＰ）が存在する。ルートメニュが存在することを示すために、ビデオタイトルセットメニュ存在フィールド（ＶＴＳＭ＿ＥＸＳＴ）は値（１０００  ００００ｂ）を含んでいなければならない。ビデオタイトルセットメニュ言語単位（ＶＴＳＭ＿ＬＵ）は、丁度１個のプログラムチェーン情報検索ポインタ（ＶＴＳＭ＿ＰＧＣＩ＿ＳＲＰ）を含む。ビデオタイトルセットメニュプログラムチェーン（ＶＴＳＭ＿ＰＧＣ）用のビデオタイトルセットメニュプログラムチェーン区分パラメータ（ＶＴＳＭ＿ＰＧＣ＿ＣＡＴ）は、関連するプログラムチェーン（ＰＧＣ）がルートメニュに対するエントリＰＧＣであることを示す値（８３００  ００００ｈ）を含んでいる。正確に１個のビデオタイトルセットメニュプログラムチェーン情報（ＶＴＳＭ＿ＰＧＣＩ）が存在する。
【００４０】
ビデオタイトルセットタイムマップテーブル（ＶＴＳ＿ＴＭＡＰＴ）はビデオタイトルセットタイムマップ（ＶＴＳ＿ＴＭＡＰ）を含み、これらマップは光ディスク１８上の全てのタイトルに対して存在するが如何なるマップエントリも含んでいない。
ビデオタイトルセットセルアドレステーブル（ＶＴＳ＿Ｃ＿ＡＤＴ）に関しては、パラメータは、ビデオタイトルセットにおけるビデオオブジェクトの数（ＶＴＳ＿ＶＯＢ＿Ｎ）を含み、該数は値“１”を含む。該ＶＴＳ＿ＶＯＢ＿Ｎは、書換型ディスクのビデオオブジェクトセットにおけるＶＯＢの実際の数は反映していないことに注意されたい。
それは、全てのＶＯＢのＶＯＢ  ＩＤ番号が“１”に設定されているので、１に設定される。全てのビデオタイトルセットセル断片情報（ＶＴＳ＿ＣＰＩ）は、ビデオタイトルセットビデオオブジェクトＩＤ番号（ＶＴＳ＿ＶＯＢ＿ＩＤＮ）に対して同一の値（“１”）を有する。
【００４１】
ＶＴＳ＿Ｃ＿ＩＤＮが“１”から開始して“２５４”まで増加するようにして、正確に２５４のＶＴＳ＿ＣＰＩブロックが記録される。実タイトルの如何なるＰＧＣによっても参照されないセル断片のビデオタイトルセットセル断片の開始アドレス及び終了アドレス（ＶＴＳ＿ＣＰ＿ＳＡ及びＶＴＳ＿ＣＰ＿ＥＡ）は、値（００００  ００００ｈ）を含む。空きスペースタイトルのＰＧＣにより参照されるセル断片は、零の開始及び終了アドレスを含むことに注意されたい。
【００４２】
ビデオタイトルセットビデオオブジェクト単位アドレスマップ（ＶＴＳ＿ＶＯＢＵ＿ＡＤＭＡＰ）に関しては、ＶＴＳＴＴ＿ＶＯＢＳに完全に含まれるＶＯＢＳの全てのビデオオブジェクト単位（ＶＯＢＵ）開始アドレスが、ここに昇順に掲載される。空きスペースの一部であるＶＯＢＵのＶＯＢＵ開始アドレスも、ＶＴＳ＿ＶＯＢＵアドレスマップに含まれることに注意されたい。
【００４３】
次に、タイトルプログラムチェーン用のプログラムチェーン情報領域（ＰＧＣＩ）の構造を図６を参照して説明する。
この構造は、プログラムチェーン一般情報領域（ＰＧＣ＿ＧＩ）と、プログラムチェーン命令テーブル（ＰＧＣ＿ＣＭＤＴ）と、セル再生情報テーブル（Ｃ＿ＰＢＩＴ）と、セル位置情報テーブル（Ｃ＿ＰＯＳＩＴ）とを有している。
【００４４】
プログラムチェーン一般情報（ＰＧＣ＿ＧＩ）に関しては、プログラムチェーンオーディオストリーム制御テーブル（ＰＧＣ＿ＡＳＴ＿ＣＴＬＴ）における利用可能性フラグのうちの正確に１つが（１ｂ）に設定されることに注意されたい。ｉ番目の利用可能性フラグがセットされている場合、このビデオタイトルセット（ＶＴＳ）用に定義されたｉ番目のオーディオストリームパラメータセットが、このプログラムチェーン（ＰＧＣ）に対して有効となる。復号オーディオストリーム番号は常に“０”である。
【００４５】
プログラム副画像ストリーム制御テーブル（ＰＧＣ＿ＳＰＳＴ＿ＣＴＣＬ）における最初のプログラムチェーン副画像ストリーム制御（ＰＧＣ＿ＳＰＳＴ＿ＣＴＬ）フィールドの利用可能性フラグは、（１ｂ）に設定される。プログラム副画像ストリーム制御テーブル（ＰＧＣ＿ＳＰＳＴ＿ＣＴＣＬ）の他の全てのビットは値（０ｂ）を含む。
プログラムチェーンナビゲーション制御（ＰＧＣ＿ＮＶ＿ＣＴＬ）におけるプログラム（ＰＧ）再生モードは、順次再生に設定される。静止時間値は、静止無しに設定される。
【００４６】
ＰＧＣ命令テーブル（ＰＧＣ＿ＣＭＤＴ）は、正確に３つの命令を含んでいる。当該仕様の該バージョンによれば、単一の命令のみが実際に使用され（タイトルのリンク用に）、他の２つの命令はＮＯＰ命令（００００  ００００ｈ）である。タイトルのリンクに何れの命令が使用されるかは、表２に定義される。表２はＰＧＣＩにおける命令を示す表である。
【００４７】
【表２】
2005149550.tif 000004
【００４８】
セル再生情報テーブル（Ｃ＿ＰＢＩＴ）に関しては、セルは角度ブロックの一部ではなく、インターリーブされたブロックには存在しない。
セル位置情報テーブル（Ｃ＿ＰＯＳＩＴ）に関しては、ＰＧＣにおける全てのセルのビデオオブジェクトの識別番号は値“１”を含む。ＤＶＤ−ＶＲディスクにおいては、全てのＶＯＢが同一のＶＯＢ＿ＩＤＮを持つことに注意されたい。
セル再生情報に継ぎ目無し再生フラグが設定されたセルのセルＩＤ番号が、１だけ増加された前のセルＩＤ番号と同一でないことは、許容される。
【００４９】
提示制御情報（ＰＣＩ）に関しては、再生リストの修正が、セルが２つの新たなセルに分割されることを必要とするかもしれないことに注意されたい。その場合、セル経過時間（ＰＣＩ＿ＧＩにおけるＣ＿ＥＬＴＭ）の全ての値は、第２セルの全てのＰＣＩフィールドにおいて更新されねばならない。
リアルタイムストリーム属性を担持するための、読取専用ディスク用のＤＶＤビデオフォーマットに対する付加的データフィールドを以下に示す。
本仕様においては、提示制御情報の一般情報（ＰＣＩ＿ＧＩ）の最後の予備の３２バイトは表３に示すように再定義される。表３はＰＣＩ＿ＧＩの終わりにおける予備フィールドの再定義を示す表である。
【００５０】
【表３】
2005149550.tif 000005
【００５１】
ＰＣＩ＿ＧＩ＿ＸＩはアプリケーションを識別すると共に、拡張の長さを指定する。このバイトにおける全ビットが零である場合は、このフィールドに続くＰＣＩ＿ＧＩのバイトも零である。
【００５２】
【表４】
2005149550.tif 000006
【００５３】
表４に示すように、このＶＴＳに関しＶＴＳＩ＿ＭＡＴで定義されるストリーム属性がリアルタイムストリーム属性により置き換えられるべき場合は、アプリケーション識別子は値（０００１ｂ）を含む。それ以外の場合は、値（００００ｂ）を含む。リアルタイムストリーム属性は、このフィールドが含まれるＶＯＢＵの開始ＰＴＭから終了ＰＴＭまで有効である。
拡張の長さは、このフィールドに続く該拡張のバイト数を定義する。該拡張の長さは、アプリケーション識別子が（０００１ｂ）である場合は値（００１０ｂ）含まなければならない。該拡張の長さは、アプリケーション識別子が（００００ｂ）である場合は、値（００００ｂ）を含む。
【００５４】
【表５】
2005149550.tif 000007
【００５５】
ＲＴ＿Ｖ＿ＡＴＲは、リアルタイムビデオストリーム属性を記述する。
表５に示すように、アスペクト比、ソース画像ボックス化及びフィルムカメラモードは、読取専用ディスク用のＤＶＤ仕様に定義された通りの意味を有する。
【００５６】
【表６】
2005149550.tif 000008
【００５７】
ＲＳ＿ＡＳＴ＿ＡＴＲはリアルタイムオーディオストリーム属性を記述する。
表６に示すように、読取専用ディスクのＤＶＤ仕様に定義されたサラウンド型式。
データ検索情報（ＤＳＩ）に関しては、全てのＶＯＢが連続したブロックに割り当てられ、角度は存在しないことに注意されたい。
データ検索情報一般情報（ＤＳＩ＿ＧＩ）に関しては、ビデオオブジェクトＩＤ番号（ＶＯＢ＿ＩＤ）が常に１である。更に、ビデオオブジェクトにおいては、セルＩＤ番号は１から単調に増加する必要はない。セルＩＤに対しては、以下の規則が当てはまる。
・セルＩＤは、同一のセルに属する全てのＶＯＢＵにおいて同一である。
・実タイトルにより使用されるセルは、それらのセルＩＤにより固有に識別される。
【００５８】
再生リストの修正は、セルが２つの新たなセルに分割されることを要するかもしれないことに注意すべきである。その場合、セル経過時間（ＤＳＩ＿ＧＩにおけるＣ＿ＥＬＴＭ）の全ての値は、第２セルにおける全ＤＳＩフィールドで更新されるべきである。
ビデオオブジェクトに関しては、当該セルが如何なるタイトルによっても使用されない場合は、整数個のＭＰＥＧ−２プログラムストリームパックがＶＯＢにおける最初のセルの始点から無くなり得る。ＶＯＢの最終セルはバッファセルである。
【００５９】
ＶＯＢの間の継ぎ目無し接続は除外されることに注意されたい。
ＶＯＢにおいては、１つのオーディオストリームのみが許容される。オーディオ復号ストリーム番号は“０”である。
ＶＯＢ内では、１つの副画像ストリームのみが許容される。副画像復号ストリーム番号は“０”である。副画像単位（ＳＰＵ）に関するデータは、１つのＶＯＢＵ内に完全に含まれる。ＳＰＵ有効期間は、ＶＯＢＵの開始ＰＴＭより前では開始してはならず、ＶＯＢＵの終了ＰＴＭより遅く終了してもならない。
【００６０】
書換型ディスク用のＤＶＤビデオフォーマットは、読取専用ディスク用のＤＶＤビデオフォーマットとは完全には同一ではない。相違点は、（１）データ割り付けの規則、及び（２）リアルタイムデータストリームにおけるナビゲーションデータの幾つかの細部にある。最初の型式の相違点は、通常、ＤＶＤビデオプレーヤに対しては何の結果も果たさない。上記第２の型式の相違点の結果として、幾つかの場合においては、書換型ディスクを用いたＤＶＤビデオ再生装置のトリックモード動作は、事前記録されたディスクを用いた場合と常に正確に同一とは限らない。
すなわち、上記構造体であるか否かをチェックし、上記構造体であれば書換型ディスク用ＤＶＤビデオフォーマットであると判断する。
【００６１】
次に、上記フォーマットに基づいてデータ追記位置を解析して決定する処理について説明する。
前記ビデオオブジェクトセット（ＶＯＢＳ）の当該実時間データが新タイトルによって上書きされた場合、上記ビデオ・タイトル・セット情報（ＶＴＳＩ）及び上記ビデオ・マネージャ情報（ＶＭＧＩ）は更新される。
しかしながら、図７では、前記ビデオ・タイトル・セット（ＶＴＳ）がビデオ及びオーディオ用に一つのパラメーター・セットだけを含む場合に限られる。例えばアスペクト（縦横）比に関連したパラメータのように、ロング・プレイ・モード対ノーマル・プレイ・モード、画像サイズとビデオ・コーディング・モード（ＭＰＥＧ１又はＭＰＥＧ２）などである。
【００６２】
図８は、多重ビデオ・タイトル・セットの配列を示す図である。
この配列では、インターリーブされたビデオ・タイトル・セット（ＶＴＳ＃１，ＶＴＳ＃２，…）が可能になる。
上記ビデオ・タイトル・セット（ＴＩＴＬＥ１，ＴＩＴＬＥ２，ＴＩＴＬＥ３）の当該実時間データは連続して配列される一方で、対応するビデオ・タイトル・セット情報（ＶＴＳＩ＃１，ＶＴＳＩ＃２，ＶＴＳＩ＃３）は別々に配列される。
実時間データが上書きされると、この情報構造は当該残存データ構造の基準のみが作成されるように適応される。プレーヤは、様々なビデオ・タイトル・セットの前記実時間データがインターリーブされて配列されていることには気付かない。
【００６３】
たった一つのタイトル（ＴＩＴＬＥ１）を示す図８の（ａ）を参照すると、図８の（ｂ）は一つの追加タイトル（ＴＩＴＬＥ２）を示し、図８の（ｃ）は２つの追加タイトル（ＴＩＴＬＥ２及びＴＩＴＬＥ３）を示す。
各ナビゲーション・パック（ＮＶ−ＰＣＫ）は、任意のビデオ・タイトル・セット（ＶＴＳ）の実時間データを含む第１セクタに比例する相対的なブロック・ナンバー（ＮＶ−ＰＣＫ−ＬＢＮ）を有することに注意されたい。これは全ての実時間データ用の前記共通基準点として認識される。
【００６４】
上記ビデオ・タイトル・セット情報（ＶＴＳＩ＃１，ＶＴＳＩ＃２，ＶＴＳＩ＃３）ファイルは、光ディスク１８上の別々の部分に位置づけされ、望ましくは任意の実時間データ構造の前に置かれる。
この位置づけはまた対応する複写ファイル（ＤＵＰ１，ＤＵＰ２，ＤＵＰ３）に対しても成される。各ビデオ・タイトル・セットは、対応するビデオ・タイトル・セット情報（ＶＴＳＩ）で定義されたように、それ自身のビデオ及びオーディオのパラメーターを有することを可能にする。
そして、上記ビデオタイトルセットの当該実時間データに基づいてデータ追記位置の解析を行う。つまり、最後のタイトルの時間データの最後に継ぎ足すことによって次のデータ記録開始位置を決定する。
【００６５】
図９は、上記光ディスク記録システムにおける電源投入時又は光ディスク挿入時の第１の処理例を示すフローチャート図である。
光ディスクドライブ１のコントローラ１７は、電源オン時又は光ディスク挿入時にステップ（図中「Ｓ」で示す）１でディスク検出処理を行い、上述した書換型ディスク用ＤＶＤビデオフォーマットを解釈する処理を行い、ステップ２で光ディスクが書換型ディスク用ＤＶＤビデオフォーマットか否かを判断し、書換型ディスク用ＤＶＤビデオフォーマットでなければこの処理を終了し、書換型ディスク用ＤＶＤビデオフォーマットの場合はステップ３で書換型ディスク用ＤＶＤビデオフォーマットのファイルシステム上で決められたデータ追記位置を解析し、ステップ４でそのデータ追記位置まで光ピックアップを移動させて（データ記録開始位置を上記データ追記位置に移動させて）待機し、この処理を終了する。
【００６６】
（２）ＤＶＤレコーダ２側が書換型ディスク用ＤＶＤビデオディスクを認識したら、光ディスクドライブ１へライト位置でのポーズコマンド（新規コマンド）を発行する場合。
光ディスクドライブ１のコントローラ１７のＲＯＭ又はＲＡＭに、予め電源投入時に装着されている光ディスク１８又は挿入時の光ディスク１８のフォーマット情報をＤＶＤレコーダ２へ送信する手順と、ＤＶＤレコーダ２から所定コマンドを受信したとき、光ディスク１８のデータ追記位置を解析し、データ記録開始位置を上記解析によって求められたデータ追記位置に移動させる手順を実行するプログラムを格納する。
【００６７】
一方、ＤＶＤレコーダ２のコントローラ２３のＲＯＭ又はＲＡＭに、光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ所定コマンドを送信する手順を実行するプログラムを格納する。
【００６８】
そして、コントローラ１７と２３が上記プログラムをそれぞれ実行することにより、光ディスクドライブ１は電源投入時に装着されている光ディスク１８又は挿入時の光ディスク１８のフォーマット情報をＤＶＤレコーダ２へ送信し、ＤＶＤレコーダ２は光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ所定コマンドを送信し、光ディスクドライブ１はＤＶＤレコーダ２から所定コマンドを受信したとき、光ディスク１８のデータ追記位置を解析し、データ記録開始位置を上記解析によって求められたデータ追記位置に移動させる処理を実行する。上記フォーマット情報は上記光ディスクから読み取ったディスク検出情報（書換型ディスク用ＤＶＤビデオフォーマットか否かを判断するための情報）である。
【００６９】
すなわち、上記コントローラ１７が、電源投入時に装着されている記録媒体又は挿入時の記録媒体のフォーマット情報を上記上位装置へ送信する手段と、上記上位装置から所定コマンドを受信したとき、上記記録媒体のデータ追記位置を解析し、データ記録開始位置を上記解析によって求められたデータ追記位置に移動させる手段の機能を果たす。また、上記コントローラ２３が、上記情報記録装置からフォーマット情報を受信したとき、そのフォーマット情報に基づいて上記記録媒体が書換型ディスク用ＤＶＤビデオフォーマットか否かを判断し、書換型ディスク用ＤＶＤビデオフォーマットと判断されたときに上記情報記録装置へ所定コマンドを送信する手段の機能を果たす。
【００７０】
図１０は、上記光ディスク記録システムにおける電源投入時又は光ディスク挿入時の第２の処理例を示すフローチャート図である。
光ディスクドライブ１のコントローラ１７は、電源オン時又は光ディスク挿入時にディスク検出処理を行い、そのディスク検出処理によって得られたディスク検出情報をフォーマット情報としてＤＶＤレコーダ２へ送信し、ＤＶＤレコーダ２のコントローラ２３は、図１０のステップ（図中「Ｓ」で示す）１１で光ディスクドライブからディスク検出情報（フォーマット情報）を取得（受信）すると、ステップ１２でそのディスク検出情報に基づいて上述した書換型ディスク用ＤＶＤビデオフォーマットを解釈する処理を行い、光ディスクが書換型ディスク用ＤＶＤビデオフォーマットか否かを判断し、書換型ディスク用ＤＶＤビデオフォーマットでなければこの処理を終了する。
【００７１】
一方、ステップ１２の判断で書換型ディスク用ＤＶＤビデオフォーマットの場合は、ステップ１３で光ディスクドライブにデータ追記位置へデータ記録開始位置を移動させるための所定コマンドとしてライト（記録）位置ポーズコマンドを発行（送信）する。そして、光ディスクドライブ１のコントローラ２３は、ステップ１４で書換型ディスク用ＤＶＤビデオフォーマットのファイルシステム上で決められたデータ追記位置を解析し、そのデータ追記位置まで光ピックアップを移動させて（データ記録開始位置を上記データ追記位置に移動させて）待機し、この処理を終了する。
【００７２】
（３）光ディスクドライブ１が、光ディスク１８の書換型ディスク用ＤＶＤビデオフォーマットを認識したら自ら先にライト開始前処理（ＯＰＣ）を実行する場合。
光ディスクドライブ１のコントローラ１７のＲＯＭ又はＲＡＭに、予め電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８に対する記録開始前処理を実行する手順を実行するプログラムを格納する。
【００７３】
そして、コントローラ１７は、上記プログラムを実行することにより、電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８に対する記録開始前処理を実行する。
すなわち、上記コントローラ１７が、電源投入時に装着されている記録媒体又は挿入時の記録媒体が書換型ディスク用ＤＶＤビデオフォーマットか否かを判断し、書換型ディスク用ＤＶＤビデオフォーマットと判断されたときに上記記録媒体に対する記録開始前処理を実行する手段の機能を果たす。
【００７４】
図１１は、上記光ディスク記録システムにおける電源投入時又は光ディスク挿入時の第３の処理例を示すフローチャート図である。
光ディスクドライブ１のコントローラ１７は、電源オン時又は光ディスク挿入時にステップ（図中「Ｓ」で示す）２１でディスク検出処理を行い、上述した書換型ディスク用ＤＶＤビデオフォーマットを解釈する処理を行い、ステップ２２で光ディスクが書換型ディスク用ＤＶＤビデオフォーマットか否かを判断し、書換型ディスク用ＤＶＤビデオフォーマットでなければこの処理を終了し、書換型ディスク用ＤＶＤビデオフォーマットの場合はステップ２３でライト開始前処理（ＯＰＣ）を実行し、この処理を終了する。
【００７５】
ＯＰＣは、光ディスクの最内周にあるＰＣＡ（Ｐｏｗｅｒ  Ｃａｌｉｂｒａｔｉｏｎ  Ａｒｅａ）を使用して、所定の記録速度（線速度）でＬＤの記録パワーを段階的に変化させてテストデータの試し書きを行い、そのテストデータを再生したときの再生信号のβ（アシンメトリ）を評価し、最良のβが得られた記録パワーをその記録速度における最適記録パワーとして決定する記録パワー制御方式である。
【００７６】
（４）ＤＶＤレコーダ２側が書換型ディスク用ＤＶＤビデオディスクを認識したら、光ディスクドライブ１へライト開始前処理（ＯＰＣ）コマンドとライト位置でのポーズコマンド（新規コマンド）を発行する場合。
光ディスクドライブ１のコントローラ１７のＲＯＭ又はＲＡＭに、予め電源投入時に装着されている光ディスク１８又は挿入時の光ディスク１８のフォーマット情報をＤＶＤレコーダ２へ送信する手順と、ＤＶＤレコーダ２から所定コマンドを受信したとき、光ディスク１８に対する記録開始前処理の手順と、光ディスク１８のデータ追記位置を解析し、データ記録開始位置を上記解析によって求められたデータ追記位置に移動させる手順を実行するプログラムを格納する。
【００７７】
一方、ＤＶＤレコーダ２のコントローラ２３のＲＯＭ又はＲＡＭに、光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ所定コマンドを送信する手順を実行するプログラムを格納する。
【００７８】
そして、コントローラ１７と２３が上記プログラムをそれぞれ実行することにより、光ディスクドライブ１は電源投入時に装着されている光ディスク１８又は挿入時の光ディスク１８のフォーマット情報をＤＶＤレコーダ２へ送信し、ＤＶＤレコーダ２は光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ所定コマンドを送信し、光ディスクドライブ１はＤＶＤレコーダ２から所定コマンドを受信したとき、光ディスク１８に対する記録開始前処理の手順と、光ディスク１８のデータ追記位置を解析し、データ記録開始位置を上記解析によって求められたデータ追記位置に移動させる処理を実行する。上記フォーマット情報は上記光ディスクから読み取ったディスク検出情報（書換型ディスク用ＤＶＤビデオフォーマットか否かを判断するための情報）である。
【００７９】
すなわち、上記コントローラ１７が、電源投入時に装着されている記録媒体又は挿入時の記録媒体のフォーマット情報を上記上位装置へ送信する手段と、上記上位装置から所定コマンドを受信したとき、上記記録媒体に対する記録開始前処理と、上記記録媒体のデータ追記位置を解析し、データ記録開始位置を上記解析によって求められたデータ追記位置に移動させる手段の機能を果たす。また、上記コントローラ２３が、上記情報記録装置からフォーマット情報を受信したとき、そのフォーマット情報に基づいて上記記録媒体が書換型ディスク用ＤＶＤビデオフォーマットか否かを判断し、書換型ディスク用ＤＶＤビデオフォーマットと判断されたときに上記情報記録装置へ所定コマンドを送信する手段の機能を果たす。
【００８０】
図１２は、上記光ディスク記録システムにおける電源投入時又は光ディスク挿入時の第４の処理例を示すフローチャート図である。
光ディスクドライブ１のコントローラ１７は、電源オン時又は光ディスク挿入時にディスク検出処理を行い、そのディスク検出処理によって得られたディスク検出情報をフォーマット情報としてＤＶＤレコーダ２へ送信し、ＤＶＤレコーダ２のコントローラ２３は、図１２のステップ（図中「Ｓ」で示す）３１で光ディスクドライブからディスク検出情報（フォーマット情報）を取得（受信）すると、ステップ３２でそのディスク検出情報に基づいて上述した書換型ディスク用ＤＶＤビデオフォーマットを解釈する処理を行い、光ディスクが書換型ディスク用ＤＶＤビデオフォーマットか否かを判断し、書換型ディスク用ＤＶＤビデオフォーマットでなければこの処理を終了する。
【００８１】
一方、ステップ３２の判断で書換型ディスク用ＤＶＤビデオフォーマットの場合は、ステップ３３で光ディスクドライブに記録パワーの最適化処理を行わせるための所定コマンドとしてライト開始前処理（ＯＰＣ）コマンドと、データ追記位置へデータ記録開始位置を移動させるための所定コマンドとしてライト（記録）位置ポーズコマンドとを発行（送信）する。
そして、光ディスクドライブ１のコントローラ２３は、ステップ３４でライト開始前処理（ＯＰＣ）を実行して最適記録パワーを決定し、ステップ３５で書換型ディスク用ＤＶＤビデオフォーマットのファイルシステム上で決められたデータ追記位置を解析し、そのデータ追記位置まで光ピックアップを移動させて（データ記録開始位置を上記データ追記位置に移動させて）待機し、この処理を終了する。
【００８２】
（５）上記処理において、ライト開始前処理（ＯＰＣ）を規格書（Ｂｏｏｋ）で規定されたところではなくライト開始位置で行ってシークのロスを無くす場合。
通常、規格書ではＯＰＣをＰＣＡ領域に記録する。データ記録開始位置がＰＣＡ領域から遠い場合は、ライト開始位置でＯＰＣ時の書き込みを実行すれば素早く処理を終了できる。ＯＰＣ終了後にその書き込んだデータを消去（Ｅｒａｓｅ）することにより、読み込み時にエラーを起こすこともない。なお、この場合の処理はデータ消去を行うのでＤＶＤ＋ＲＷディスクに対してのみ行う必要がある。
【００８３】
そこで、上記プログラムに、上記記録開始前処理を光ディスク１８の記録開始位置で実行するようにする手順を設ける。
そして、コントローラ１７が上記記録開始前処理を光ディスク１８の記録開始位置で実行する。
すなわち、上記コントローラ１７は、上記記録開始前処理を光ディスク１８の記録開始位置で実行する手段の機能も果たす。
【００８４】
図１３は、上記光ディスク記録システムにおける電源投入時又は光ディスク挿入時の第５の処理例を示すフローチャート図である。
コントローラ１７は、上述の自らライト開始前処理（ＯＰＣ）を実行、あるいはＤＶＤレコーダ２からの所定コマンドでライト開始前処理（ＯＰＣ）を実行する処理に変えて、図１３のステップ（図中「Ｓ」で示す）４１でデータ記録開始位置か否かを判断し、データ記録開始位置でなければ、ステップ４２で書換型ディスク用ＤＶＤビデオフォーマットのファイルシステム上で決められたデータ追記位置を解析し、そのデータ追記位置まで光ピックアップを移動させ、ステップ４３でライト開始前処理（ＯＰＣ）を実行して最適記録パワーを決定し、この処理を終了する。
【００８５】
（６）上記処理において、ＯＰＣの情報を光ディスクに記録し、その情報を使うことで無駄なＯＰＣの処理を無くす場合。
そこで、上記プログラムに、光ディスク１８に記録開始前処理を実行したことを示す情報を記録する手順を設ける。
そして、コントローラ１７が光ディスク１８に記録開始前処理を実行したことを示す情報を記録する。
すなわち、上記コントローラ１７は、上記記録媒体に記録開始前処理を実行したことを示す情報を記録する手段の機能も果たす。
【００８６】
図１４は、上記光ディスク記録システムにおける電源投入時又は光ディスク挿入時の第６の処理例を示すフローチャート図である。
コントローラ１７は、上述の自らライト開始前処理（ＯＰＣ）を実行、あるいはＤＶＤレコーダ２からの所定コマンドでライト開始前処理（ＯＰＣ）を実行する場合、図１４のステップ（図中「Ｓ」で示す）５１で光ディスクにライト開始前処理を実行したことを示すＯＰＣ情報が記録されているか否かを判断し、記録されていなければ、ステップ５２でライト開始前処理（ＯＰＣ）を実行して最適記録パワーを決定し、ステップ５３で光ディスクに自装置内から読み出したドライブＩＤ（光ディスクドライブの固有の識別情報）とライト開始前処理を実行したことを示すＯＰＣ情報（ＯＰＣ処理結果情報）を記録し、この処理を終了する。
【００８７】
また、ステップ５１で光ディスクにＯＰＣ情報が記録されていれば、ステップ５４で光ディスクに記録されているドライブＩＤと自装置（光ディスクドライブ）のドライブＩＤが同一か否かを判断し、同一ならこの処理を終了し、同一でなければ、ステップ５２でライト開始前処理（ＯＰＣ）を実行して最適記録パワーを決定し、ステップ５３で光ディスクに自装置内から読み出したドライブＩＤ（光ディスクドライブの固有の識別情報）とライト開始前処理を実行したことを示すＯＰＣ情報（ＯＰＣ処理結果情報）を記録し、この処理を終了する。
【００８８】
上記ＯＰＣ情報の記録先としては、図２乃至図８に示した領域の内の空き領域にするとよい。
このようにして、この実施形態の光ディスク記録システムは、光ディスクにデータ記録を開始しようとした時に、ユーザを待たせることなくＤＶＤレコーダが記録を開始することができる。
【産業上の利用可能性】
【００８９】
この発明による情報記録装置と情報記録システムは、デスクトップパソコン，ノートブックパソコン等のパーソナルコンピュータにおいても適用することができる。
【図面の簡単な説明】
【００９０】
【図１】この発明の一実施形態である光ディスク記録システムの構成を示すブロック図である。
【図２】図１に示す光ディスク１８のリアルタイムビデオ記録フォーマットに従う概略データ構造を示す図である。
【図３】図２に示すビデオマネージャ領域（ＶＭＧ）の詳細な構造を示す図である。
【図４】図２に示すビデオタイトルセット情報領域（ＶＴＳＩ）の詳細な構造を示す図である。
【００９１】
【図５】図３に示すビデオマネージャ情報管理テーブル（ＶＴＳＩ＿ＭＡＴ）の詳細な構造を示す図である。
【図６】プログラムチェーン情報領域（ＰＧＣＩ）の詳細な構造を示す図である。
【図７】一つのビデオ・タイトル・セットの中での全タイトルの可能な配列を示す図である。
【図８】タイトルが示された多重ビデオ・タイトル・セットの配列を示す図である。
【００９２】
【図９】図１に示した光ディスク記録システムにおける電源投入時又は光ディスク挿入時の第１の処理例を示すフローチャート図である。
【図１０】図１に示した光ディスク記録システムにおける電源投入時又は光ディスク挿入時の第２の処理例を示すフローチャート図である。
【図１１】図１に示した光ディスク記録システムにおける電源投入時又は光ディスク挿入時の第３の処理例を示すフローチャート図である。
【００９３】
【図１２】図１に示した光ディスク記録システムにおける電源投入時又は光ディスク挿入時の第４の処理例を示すフローチャート図である。
【図１３】図１に示した光ディスク記録システムにおける電源投入時又は光ディスク挿入時の第５の処理例を示すフローチャート図である。
【図１４】図１に示した光ディスク記録システムにおける電源投入時又は光ディスク挿入時の第６の処理例を示すフローチャート図である。
【符号の説明】
【００９４】
１：光ディスクドライブ    ２：ＤＶＤレコーダ    １０：モータ    １１：回転制御系部    １２：光ピックアップ    １３：粗動モータ／光ピックアップ制御系部    １４：信号処理系部    １５：キャッシュメモリ    １６，２２：外部インタフェース制御系部    １７，２３：コントローラ    １８：光ディスク    ２０：映像信号発生機    ２１：データ変換部
【図１】
2005149550.tif 000009
【図２】
2005149550.tif 000010
【図３】
2005149550.tif 000011
【図４】
2005149550.tif 000012
【図５】
2005149550.tif 000013
【図６】
2005149550.tif 000014
【図７】
2005149550.tif 000015
【図８】
2005149550.tif 000016
【図９】
2005149550.tif 000017
【図１０】
2005149550.tif 000018
【図１１】
2005149550.tif 000019
【図１２】
2005149550.tif 000020
【図１３】
2005149550.tif 000021
【図１４】
2005149550.tif 000022
【手続補正書】
【提出日】平成16年4月16日(2004.4.16)
【手続補正１】
【補正対象書類名】明細書
【補正対象項目名】０００４
【補正方法】変更
【補正の内容】
【０００４】
しかしながら、書換型ディスク用ビデオフォーマット（記録可能なＤＶＤディスクにビデオレコード可能なＤＶＤフォーマット）を有するＤＶＤ＋Ｒディスク，ＤＶＤ＋ＲＷディスク等の記録媒体にデータを書き込む情報記録装置では、上位装置（パーソナルコンピュータ等）からの最初のライトコマンドですぐにデータを書き始めることが出来ず、データ記録のリアルタイム性が損なわれてしまうという問題があった。
ＯＰＣ処理自体は、センドＯＰＣコマンド（ＳＥＮＤ  ＯＰＣコマンド）で予め実行しておくことは可能であるが、光ピックアップを光ディスク上の書込位置（ライト位置）へ移動させるのにはシーク動作を伴うため、すでに記録した光ディスクでは外周に次のライト位置があるため、やはり時間的なずれが生じてしまう。
【手続補正２】
【補正対象書類名】明細書
【補正対象項目名】０００５
【補正方法】変更
【補正の内容】
【０００５】
この発明は上記の課題を解決するためになされたものであり、書換型ディスク用ビデオフォーマットを有するＤＶＤ＋Ｒディスク，ＤＶＤ＋ＲＷディスク等の記録媒体に直ぐにデータ書き込みを開始できるようにすることを目的とする。
【手続補正３】
【補正対象書類名】明細書
【補正対象項目名】００１２
【補正方法】変更
【補正の内容】
【００１２】
この発明による情報記録装置と情報記録システムは、書換型ディスク用ビデオフォーマットを有するＤＶＤ＋Ｒディスク，ＤＶＤ＋ＲＷディスク等の記録媒体に直ぐにデータ書き込みを開始することができる。
【手続補正書】
【提出日】平成16年7月23日(2004.7.23)
【手続補正１】
【補正対象書類名】特許請求の範囲
【補正対象項目名】全文
【補正方法】変更
【補正の内容】
【特許請求の範囲】
【請求項１】
記録媒体にデータを記録する情報記録装置において、
電源投入時に装着されている記録媒体又は挿入時の記録媒体が書換型ディスク用ビデオフォーマットか否かを判断し、書換型ディスク用ビデオフォーマットと判断されたときに前記記録媒体の書換型ディスク用ビデオフォーマット上のデータ追記位置を解析し、光ピックアップを前記解析によって求められた前記データ追記位置に移動させる手段を設けたことを特徴とする情報記録装置。
【請求項２】
記録媒体にデータを記録する情報記録装置と、該情報記録装置へ前記記録媒体に記録するデータを出力する上位装置とからなる情報記録システムにおいて、
前記情報記録装置に、電源投入時に装着されている記録媒体又は挿入時の記録媒体のフォーマット情報を前記上位装置へ送信する手段と、前記上位装置から所定コマンドを受信したとき、前記記録媒体の書換型ディスク用ビデオフォーマット上のデータ追記位置を解析し、光ピックアップを前記解析によって求められた前記データ追記位置に移動させる手段を設け、
前記上位装置に、前記情報記録装置からフォーマット情報を受信したとき、該フォーマット情報に基づいて前記記録媒体が書換型ディスク用ビデオフォーマットか否かを判断し、書換型ディスク用ビデオフォーマットと判断されたときに前記情報記録装置へ前記所定コマンドを送信する手段を設けたことを特徴とする情報記録システム。
【請求項３】
記録媒体にデータを記録する情報記録装置において、
電源投入時に装着されている記録媒体又は挿入時の記録媒体が書換型ディスク用ビデオフォーマットか否かを判断し、書換型ディスク用ビデオフォーマットと判断されたときに前記記録媒体に対する記録パワーの最適化処理を実行する手段を設けたことを特徴とする情報記録装置。
【請求項４】
記録媒体にデータを記録する情報記録装置と、該情報記録装置へ前記記録媒体に記録するデータを出力する上位装置とからなる情報記録システムにおいて、
前記情報記録装置に、電源投入時に装着されている記録媒体又は挿入時の記録媒体のフォーマット情報を前記上位装置へ送信する手段と、前記上位装置から所定コマンドを受信したとき、前記記録媒体に対する記録パワーの最適化処理と、前記記録媒体の書換型ディスク用ビデオフォーマット上のデータ追記位置を解析し、光ピックアップを前記解析によって求められた前記データ追記位置に移動させる処理とを実行する手段を設け、
前記上位装置に、前記情報記録装置からフォーマット情報を受信したとき、該フォーマット情報に基づいて前記記録媒体が書換型ディスク用ビデオフォーマットか否かを判断し、書換型ディスク用ビデオフォーマットと判断されたときに前記情報記録装置へ前記所定コマンドを送信する手段を設けたことを特徴とする情報記録システム。
【請求項５】
請求項３記載の情報記録装置において、
前記記録パワーの最適化処理を前記記録媒体の記録開始位置で実行するようにしたことを特徴とする情報記録装置。
【請求項６】
請求項４記載の情報記録システムにおいて、
前記記録パワーの最適化処理を前記記録媒体の記録開始位置で実行するようにしたことを特徴とする情報記録システム。
【請求項７】
請求項３又は５記載の情報記録装置において、
前記記録媒体に前記記録パワーの最適化処理を実行したことを示す情報を記録する手段を設けたことを特徴とする情報記録装置。
【請求項８】
請求項４又は６記載の情報記録システムにおいて、
前記記録媒体に前記記録パワーの最適化処理を実行したことを示す情報を記録する手段を設けたことを特徴とする情報記録システム。
【請求項９】
請求項３，５，７のいずれか一項に記載の情報記録装置において、
前記記録媒体に前記記録パワーの最適化処理を実行したことを示す情報と前記記録パワーの最適化処理を実行した情報記録装置と異なる識別情報とが記録されていることを検出したとき、前記記録媒体に対する前記記録パワーの最適化処理を実行する手段を設けたことを特徴とする情報記録装置。
【請求項１０】
請求項４，６，８のいずれか一項に記載の情報記録システムにおいて、
前記記録媒体に前記記録パワーの最適化処理を実行したことを示す情報と前記記録パワーの最適化処理を実行した情報記録装置と異なる識別情報とが記録されていることを検出したとき、前記記録媒体に対する前記記録パワーの最適化処理を実行する手段を設けたことを特徴とする情報記録システム。
【手続補正２】
【補正対象書類名】明細書
【補正対象項目名】０００６
【補正方法】変更
【補正の内容】
【０００６】
この発明は上記の目的を達成するため、次の情報記録装置と情報記録システムを提供する。
（１）記録媒体にデータを記録する情報記録装置において、電源投入時に装着されている記録媒体又は挿入時の記録媒体が書換型ディスク用ビデオフォーマットか否かを判断し、書換型ディスク用ビデオフォーマットと判断されたときに上記記録媒体の書換型ディスク用ビデオフォーマット上のデータ追記位置を解析し、光ピックアップを上記解析によって求められた上記データ追記位置に移動させる手段を設けた情報記録装置。
【手続補正３】
【補正対象書類名】明細書
【補正対象項目名】０００７
【補正方法】変更
【補正の内容】
【０００７】
（２）記録媒体にデータを記録する情報記録装置と、その情報記録装置へ上記記録媒体に記録するデータを出力する上位装置とからなる情報記録システムにおいて、上記情報記録装置に、電源投入時に装着されている記録媒体又は挿入時の記録媒体のフォーマット情報を上記上位装置へ送信する手段と、上記上位装置から所定コマンドを受信したとき、上記記録媒体の書換型ディスク用ビデオフォーマット上のデータ追記位置を解析し、光ピックアップを上記解析によって求められた上記データ追記位置に移動させる手段を設け、上記上位装置に、上記情報記録装置からフォーマット情報を受信したとき、そのフォーマット情報に基づいて上記記録媒体が書換型ディスク用ビデオフォーマットか否かを判断し、書換型ディスク用ビデオフォーマットと判断されたときに上記情報記録装置へ所定コマンドを送信する手段を設けた情報記録システム。
【手続補正４】
【補正対象書類名】明細書
【補正対象項目名】０００８
【補正方法】変更
【補正の内容】
【０００８】
（３）記録媒体にデータを記録する情報記録装置において、電源投入時に装着されている記録媒体又は挿入時の記録媒体が書換型ディスク用ビデオフォーマットか否かを判断し、書換型ディスク用ビデオフォーマットと判断されたときに上記記録媒体に対する記録パワーの最適化処理を実行する手段を設けた情報記録装置。
【手続補正５】
【補正対象書類名】明細書
【補正対象項目名】０００９
【補正方法】変更
【補正の内容】
【０００９】
（４）記録媒体にデータを記録する情報記録装置と、その情報記録装置へ上記記録媒体に記録するデータを出力する上位装置とからなる情報記録システムにおいて、上記情報記録装置に、電源投入時に装着されている記録媒体又は挿入時の記録媒体のフォーマット情報を上記上位装置へ送信する手段と、上記上位装置から所定コマンドを受信したとき、上記記録媒体に対する記録パワーの最適化処理と、上記記録媒体の書換型ディスク用ビデオフォーマット上のデータ追記位置を解析し、光ピックアップを上記解析によって求められた上記データ追記位置に移動させる処理とを実行する手段を設け、上記上位装置に、上記情報記録装置からフォーマット情報を受信したとき、そのフォーマット情報に基づいて上記記録媒体が書換型ディスク用ビデオフォーマットか否かを判断し、書換型ディスク用ビデオフォーマットと判断されたときに上記情報記録装置へ上記所定コマンドを送信する手段を設けた情報記録システム。
【手続補正６】
【補正対象書類名】明細書
【補正対象項目名】００１０
【補正方法】変更
【補正の内容】
【００１０】
（５）上記（３）の情報記録装置において、上記記録パワーの最適化処理を上記記録媒体の記録開始位置で実行するようにした情報記録装置。
（６）上記（４）の情報記録システムにおいて、上記記録パワーの最適化処理を上記記録媒体の記録開始位置で実行するようにした情報記録システム。
（７）上記（３）又は（５）の情報記録装置において、上記記録媒体に上記記録パワーの最適化処理を実行したことを示す情報を記録する手段を設けた情報記録装置。
（８）上記（４）又は（６）の情報記録システムにおいて、上記記録媒体に上記記録パワーの最適化処理を実行したことを示す情報を記録する手段を設けた情報記録システム。
【手続補正７】
【補正対象書類名】明細書
【補正対象項目名】００１１
【補正方法】変更
【補正の内容】
【００１１】
（９）上記（３）（５）（７）のいずれかの情報記録装置において、上記記録媒体に上記記録パワーの最適化処理を実行したことを示す情報と上記記録パワーの最適化処理を実行した情報記録装置と異なる識別情報とが記録されていることを検出したとき、上記記録媒体に対する上記記録パワーの最適化処理を実行する手段を設けた情報記録装置。
（１０）上記（４）（６）（８）のいずれかの情報記録システムにおいて、上記記録媒体に上記記録パワーの最適化処理を実行したことを示す情報と上記記録パワーの最適化処理を実行した情報記録装置と異なる識別情報とが記録されていることを検出したとき、上記記録媒体に対する上記記録パワーの最適化処理を実行する手段を設けた情報記録システム。
【手続補正８】
【補正対象書類名】明細書
【補正対象項目名】００１９
【補正方法】変更
【補正の内容】
【００１９】
次に、上記光ディスク記録システムにおけるこの発明に係る機能について説明する。
（１）光ディスクドライブ１が、光ディスク１８の書換型ディスク用ＤＶＤビデオフォーマットを解釈して次の追記位置を解析し、そこに記録先に移動する場合。
光ディスクドライブ１のコントローラ１７のＲＯＭ又はＲＡＭに、予め電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８の書換型ディスク用ＤＶＤビデオフォーマット上のデータ追記位置を解析し、光ピックアップ１２を上記解析によって求められた上記データ追記位置に移動させる手順を実行させるためのプログラムを格納する。
【手続補正９】
【補正対象書類名】明細書
【補正対象項目名】００２０
【補正方法】変更
【補正の内容】
【００２０】
そして、コントローラ１７が上記プログラムを実行することにより、電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８の書換型ディスク用ＤＶＤビデオフォーマット上のデータ追記位置を解析し、光ピックアップ１２を上記解析によって求められた上記データ追記位置に移動させる処理を実行する。
すなわち、上記コントローラ１７が電源投入時に装着されている記録媒体又は挿入時の記録媒体が書換型ディスク用ＤＶＤビデオフォーマットか否かを判断し、書換型ディスク用ＤＶＤビデオフォーマットと判断されたときに上記記録媒体の書換型ディスク用ビデオフォーマット上のデータ追記位置を解析し、光ピックアップを上記解析によって求められた上記データ追記位置に移動させる手段の機能を果たす。
【手続補正１０】
【補正対象書類名】明細書
【補正対象項目名】００６６
【補正方法】変更
【補正の内容】
【００６６】
（２）ＤＶＤレコーダ２側が書換型ディスク用ＤＶＤビデオディスクを認識したら、光ディスクドライブ１へライト位置でのポーズコマンド（新規コマンド）を発行する場合。
光ディスクドライブ１のコントローラ１７のＲＯＭ又はＲＡＭに、予め電源投入時に装着されている光ディスク１８又は挿入時の光ディスク１８のフォーマット情報をＤＶＤレコーダ２へ送信する手順と、ＤＶＤレコーダ２から所定コマンドを受信したとき、光ディスク１８の書換型ディスク用ＤＶＤビデオフォーマット上のデータ追記位置を解析し、光ピックアップ１２を上記解析によって求められた上記データ追記位置に移動させる手順を実行するプログラムを格納する。
【手続補正１１】
【補正対象書類名】明細書
【補正対象項目名】００６７
【補正方法】変更
【補正の内容】
【００６７】
一方、ＤＶＤレコーダ２のコントローラ２３のＲＯＭ又はＲＡＭに、光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ上記所定コマンドを送信する手順を実行するプログラムを格納する。
【手続補正１２】
【補正対象書類名】明細書
【補正対象項目名】００６８
【補正方法】変更
【補正の内容】
【００６８】
そして、コントローラ１７と２３が上記プログラムをそれぞれ実行することにより、光ディスクドライブ１は電源投入時に装着されている光ディスク１８又は挿入時の光ディスク１８のフォーマット情報をＤＶＤレコーダ２へ送信し、ＤＶＤレコーダ２は光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ所定コマンドを送信し、光ディスクドライブ１はＤＶＤレコーダ２から所定コマンドを受信したとき、光ディスク１８の書換型ディスク用ＤＶＤビデオフォーマット上のデータ追記位置を解析し、光ピックアップ１２を上記解析によって求められた上記データ追記位置に移動させる処理を実行する。上記フォーマット情報は上記光ディスクから読み取ったディスク検出情報（書換型ディスク用ＤＶＤビデオフォーマットか否かを判断するための情報）である。
【手続補正１３】
【補正対象書類名】明細書
【補正対象項目名】００６９
【補正方法】変更
【補正の内容】
【００６９】
すなわち、上記コントローラ１７が、電源投入時に装着されている記録媒体又は挿入時の記録媒体のフォーマット情報を上記上位装置へ送信する手段と、上記上位装置から所定コマンドを受信したとき、上記記録媒体の書換型ディスク用ビデオフォーマット上のデータ追記位置を解析し、光ピックアップを上記解析によって求められた上記データ追記位置に移動させる手段の機能を果たす。また、上記コントローラ２３が、上記情報記録装置からフォーマット情報を受信したとき、そのフォーマット情報に基づいて上記記録媒体が書換型ディスク用ＤＶＤビデオフォーマットか否かを判断し、書換型ディスク用ＤＶＤビデオフォーマットと判断されたときに上記情報記録装置へ上記所定コマンドを送信する手段の機能を果たす。
【手続補正１４】
【補正対象書類名】明細書
【補正対象項目名】００７２
【補正方法】変更
【補正の内容】
【００７２】
（３）光ディスクドライブ１が、光ディスク１８の書換型ディスク用ＤＶＤビデオフォーマットを認識したら自ら先にライト開始前処理（ＯＰＣ）を実行する場合。
光ディスクドライブ１のコントローラ１７のＲＯＭ又はＲＡＭに、予め電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８に対する記録パワーの最適化処理を実行する手順を実行するプログラムを格納する。
【手続補正１５】
【補正対象書類名】明細書
【補正対象項目名】００７３
【補正方法】変更
【補正の内容】
【００７３】
そして、コントローラ１７は、上記プログラムを実行することにより、電源投入時に装着されている光ディスク１８又は挿入時の光ディスク１８が書換型ディスク用ＤＶＤビデオフォーマットか否かを判断し、書換型ディスク用ＤＶＤビデオフォーマットと判断されたときに光ディスク１８に対する記録パワーの最適化処理を実行する。
すなわち、上記コントローラ１７が、電源投入時に装着されている記録媒体又は挿入時の記録媒体が書換型ディスク用ＤＶＤビデオフォーマットか否かを判断し、書換型ディスク用ＤＶＤビデオフォーマットと判断されたときに上記記録媒体に対する記録パワーの最適化処理を実行する手段の機能を果たす。
【手続補正１６】
【補正対象書類名】明細書
【補正対象項目名】００７５
【補正方法】変更
【補正の内容】
【００７５】
ＯＰＣは、光ディスクの最内周にあるＰＣＡ（Ｐｏｗｅｒ  Ｃａｌｉｂｒａｔｉｏｎ  Ａｒｅａ）を使用して、所定の記録速度（線速度）でＬＤの記録パワーを段階的に変化させてテストデータの試し書きを行い、そのテストデータを再生したときの再生信号のβ（アシンメトリ）を評価し、最良のβが得られた記録パワーをその記録速度における最適記録パワーとして決定する記録パワーの最適化処理である。
【手続補正１７】
【補正対象書類名】明細書
【補正対象項目名】００７６
【補正方法】変更
【補正の内容】
【００７６】
（４）ＤＶＤレコーダ２側が書換型ディスク用ＤＶＤビデオディスクを認識したら、光ディスクドライブ１へライト開始前処理（ＯＰＣ）コマンドとライト位置でのポーズコマンド（新規コマンド）を発行する場合。
光ディスクドライブ１のコントローラ１７のＲＯＭ又はＲＡＭに、予め電源投入時に装着されている光ディスク１８又は挿入時の光ディスク１８のフォーマット情報をＤＶＤレコーダ２へ送信する手順と、ＤＶＤレコーダ２から所定コマンドを受信したとき、光ディスク１８に対する記録パワーの最適化処理の手順と、光ディスク１８の書換型ディスク用ＤＶＤビデオフォーマット上のデータ追記位置を解析し、光ピックアップ１２を上記解析によって求められた上記データ追記位置に移動させる手順を実行するプログラムを格納する。
【手続補正１８】
【補正対象書類名】明細書
【補正対象項目名】００７７
【補正方法】変更
【補正の内容】
【００７７】
一方、ＤＶＤレコーダ２のコントローラ２３のＲＯＭ又はＲＡＭに、光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ上記所定コマンドを送信する手順を実行するプログラムを格納する。
【手続補正１９】
【補正対象書類名】明細書
【補正対象項目名】００７８
【補正方法】変更
【補正の内容】
【００７８】
そして、コントローラ１７と２３が上記プログラムをそれぞれ実行することにより、光ディスクドライブ１は電源投入時に装着されている光ディスク１８又は挿入時の光ディスク１８のフォーマット情報をＤＶＤレコーダ２へ送信し、ＤＶＤレコーダ２は光ディスクドライブ１からフォーマット情報を受信したとき、そのフォーマット情報に基づいて光ディスク１８が書換型ディスク用ＤＶＤビデオフォーマットか否かを判断し、書換型ディスク用ＤＶＤビデオフォーマットと判断されたときに光ディスクドライブ１へ所定コマンドを送信し、光ディスクドライブ１はＤＶＤレコーダ２から上記所定コマンドを受信したとき、光ディスク１８に対する記録パワーの最適化処理の手順と、光ディスク１８の書換型ディスク用ＤＶＤビデオフォーマット上のデータ追記位置を解析し、光ピックアップ１２を上記解析によって求められた上記データ追記位置に移動させる処理を実行する。上記フォーマット情報は上記光ディスクから読み取ったディスク検出情報（書換型ディスク用ＤＶＤビデオフォーマットか否かを判断するための情報）である。
【手続補正２０】
【補正対象書類名】明細書
【補正対象項目名】００７９
【補正方法】変更
【補正の内容】
【００７９】
すなわち、上記コントローラ１７が、電源投入時に装着されている記録媒体又は挿入時の記録媒体のフォーマット情報を上記上位装置へ送信する手段と、上記上位装置から所定コマンドを受信したとき、上記記録媒体に対する記録パワーの最適化処理と、上記記録媒体の書換型ディスク用ビデオフォーマット上のデータ追記位置を解析し、光ピックアップを上記解析によって求められた上記データ追記位置に移動させる手段の機能を果たす。また、上記コントローラ２３が、上記情報記録装置からフォーマット情報を受信したとき、そのフォーマット情報に基づいて上記記録媒体が書換型ディスク用ＤＶＤビデオフォーマットか否かを判断し、書換型ディスク用ＤＶＤビデオフォーマットと判断されたときに上記情報記録装置へ上記所定コマンドを送信する手段の機能を果たす。
【手続補正２１】
【補正対象書類名】明細書
【補正対象項目名】００８３
【補正方法】変更
【補正の内容】
【００８３】
そこで、上記プログラムに、上記記録パワーの最適化処理を光ディスク１８の記録開始位置で実行するようにする手順を設ける。
そして、コントローラ１７が上記記録パワーの最適化処理を光ディスク１８の記録開始位置で実行する。
すなわち、上記コントローラ１７は、上記記録パワーの最適化処理を光ディスク１８の記録開始位置で実行する手段の機能も果たす。
【手続補正２２】
【補正対象書類名】明細書
【補正対象項目名】００８５
【補正方法】変更
【補正の内容】
【００８５】
（６）上記処理において、ＯＰＣの情報を光ディスクに記録し、その情報を使うことで無駄なＯＰＣの処理を無くす場合。
そこで、上記プログラムに、光ディスク１８に上記記録パワーの最適化処理を実行したことを示す情報を記録する手順を設ける。
そして、コントローラ１７が光ディスク１８に上記記録パワーの最適化処理を実行したことを示す情報を記録する。
すなわち、上記コントローラ１７は、上記記録媒体に上記記録パワーの最適化処理を実行したことを示す情報を記録する手段の機能も果たす。